(57)【要約】【課題】高湿度の悪環境においても運転を中断することなく動作を継続可能で、かつ安全性が高められたイオン発生装置および空調機器を提供する。【解決手段】負イオン発生モードにおいてリレーＲＹＢがオン状態となり、電極パネル５６の放電時のＤＣレベルが負側に移動する。この際、本来接地側に接続されるべきノードＡＣ２が電圧印加側に接続されてしまった場合に水滴等により電流経路Ｐが形成された場合に抵抗Ｒ１を設けておくことにより漏洩電流ＩＬ２を制限する。これにより、水はねによりブレーカＣＢが遮断されてイオン発生装置２３の運転が停止されてしまうことを防ぐことができる。また抵抗Ｒ１を十分大きくしておくことで、人体に対しても安全性を高めることができる。【選択図】        図１４
2004319377.tif 000002
【特許請求の範囲】
【請求項１】
１次側に入力されたパルス信号を昇圧して２次側に出力する昇圧手段と、
前記昇圧手段の２次側に接続され、空気中にイオンを発生させるイオン発生手段と、
前記昇圧手段の２次側と１次側とを電気的に接続する経路上に設けられる整流手段と、
前記経路上において前記整流手段と直列に接続される電流制限手段とを備える、イオン発生装置。
【請求項２】
前記イオン発生手段は、
空気中に露出された放電電極と、
前記放電電極との間で前記昇圧手段によって昇圧されたパルスにより放電を発生させる誘導電極とを含む、請求項１に記載のイオン発生装置。
【請求項３】
前記経路上に設けられ、前記経路の開放および接続を制御するスイッチ手段をさらに備える、請求項１または２に記載のイオン発生装置。
【請求項４】
前記整流手段は、前記２次側から前記１次側に向かう向きが順方向であるダイオードを含む、請求項１〜３のいずれかに記載のイオン発生装置。
【請求項５】
前記電流制限手段は、前記経路上に接続される抵抗素子を含む、請求項１〜４のいずれかに記載のイオン発生装置。
【請求項６】
前記抵抗素子は、漏洩電流が０．５ｍＡ以下に相当する抵抗値である、請求項１〜５のいずれかに記載のイオン発生装置。
【請求項７】
請求項１〜６のいずれかに記載のイオン発生装置を含む空調装置。
【請求項８】
第１、第２の電源入力ノード間に与えられる交流電圧を受けてパルス信号を発生するパルス発生回路を備え、
前記パルス発生回路は、前記第１の電源入力ノードと第１の内部ノードとの間に直列に接続される第１の抵抗素子および第１のダイオードと、
前記第１の内部ノードと前記第２の電源入力ノードとの間に接続されるキャパシタと、
前記第１の内部ノードと前記第２の電源入力ノードとの間に接続される第２のダイオードと、
第２の内部ノードと第２の電源入力ノードとの間に並列に接続される第３のダイオードおよびサイダックとを含み、
前記第１のダイオードは、前記第１の電源入力ノードから前記第１の内部ノードに向かう向きが順方向になるように接続され、前記第２のダイオードは前記第２の電源入力ノードから前記第１の内部ノードに向かう向きが順方向になるように接続され、前記第３のダイオードは前記第２の電源入力ノードから前記第２の内部ノードに向かう向きが順方向となるように接続され、
前記第１の内部ノードから前記第２の内部ノードに流れる電流に応じて第３、第４の内部ノード間に電圧を発生させるトランスと、
前記第３、第４の内部ノード間に接続され放電によりイオン発生させる電極パネルと、
前記第４の内部ノードと前記第２の電源入力ノードとの間に直列に接続される第２の抵抗素子，第４のダイオードおよびスイッチとをさらに備える、イオン発生装置。
【発明の詳細な説明】
【０００１】
【発明の属する技術分野】
この発明は、空気中にイオンを発生させるイオン発生装置およびイオン発生装置を備えた空調装置に関する。
【０００２】
【従来の技術】
近年、夫婦共稼ぎの増加により、夜間等を利用して洗濯物を室内にて乾かしたいとの要望が増大している。また、冬場等寒い時季には浴室内が冷えているので、入浴前の浴室を温めておきたいという要望が増加してきている。従来から、浴室内を乾燥、換気または暖房するための浴室空調装置が種々提案されている。
【０００３】
また、負イオン発生手段を内蔵し、負イオンを含んだ空気を浴室内に送風するものも知られている。負イオンは精神を安定させ、呼吸器の機能を高める効能を持つと言われている。
【０００４】
一方、浴室のような高温多湿の空間では、非衛生になりやすく、タイルや天井にカビが生えてしまうという問題があった。そこで、正イオンと負イオンとを同時に発生させ空気中に浮遊するカビの胞子を殺すことによりタイルや天井へのカビの付着を防ぐことが考えられる。
【０００５】
しかし、正イオンは人間に対してストレスを与えると言われている。このため、正イオンと負イオンとを発生させると、入浴時における負イオンの持つ人間をリラックスさせる効能が減ずることになる。
【０００６】
たとえば、特許文献１〜３には、使用目的に応じて運転モードを切換えるイオン発生装置が開示されている。この装置では、リラックス効果を得たいときには負イオンを多く発生させる運転モードに設定し、また、除菌や殺菌効果を得たいときには正イオンと負イオンとをほぼ同量発生させる運転モードに切換えることができるイオン発生装置が開示されている。
【０００７】
【特許文献１】
特開２００３−１００４１９号公報
【０００８】
【特許文献２】
特開２００２−２１６９３３号公報
【０００９】
【特許文献３】
特開２００２−３１９４７２号公報
【００１０】
【発明が解決しようとする課題】
そこで、入浴中は負イオンを多く発生するモードに設定し、入浴終了後は正負イオンを発生するモードに設定すれば、入浴中はリラックス効果が得られ、入浴前後はカビの発生を抑えることが可能となる。しかしながら、浴室のように高温多湿でかつシャワーなどのような水しぶきが飛散するような状況では、放電面に水滴が付着するおそれがある。また、入浴前後を通して浴室内には大量の湯気が立ち上り湿気が充満しているので、放電面上で結露が生じやすい。水滴や結露で放電面が濡れると、漏電やショートによってイオン発生装置の故障を招いたり、配電盤のブレーカが落ちてしまい装置の運転が中止されるというような問題が生ずる。
【００１１】
本発明は、高温多湿な環境において、漏電により運転が停止することなく、良好にイオンを発生させることができるイオン発生装置およびそれを備える空調装置を提供することを目的とする。
【００１２】
【課題を解決するための手段】
この発明は、要約すると、イオン発生装置であって、１次側に入力されたパルス信号を昇圧して２次側に出力する昇圧手段と、昇圧手段の２次側に接続され、空気中にイオンを発生させるイオン発生手段と、昇圧手段の２次側と１次側とを電気的に接続する経路上に設けられる整流手段と、経路上において整流手段と直列に接続される電流制限手段とを備える。
【００１３】
好ましくは、イオン発生手段は、空気中に露出された放電電極と、放電電極との間で昇圧手段によって昇圧されたパルスにより放電を発生させる誘導電極とを含む。
【００１４】
好ましくは、イオン発生装置は、昇圧手段の２次側と１次側とを電気的に接続する経路上に設けられ、経路の開放および接続を制御するスイッチ手段をさらに備える。
【００１５】
好ましくは、整流手段は、２次側から１次側に向かう向きが順方向であるダイオードを含む。
【００１６】
好ましくは、電流制限手段は、経路上に接続される抵抗素子を含む。
より好ましくは、抵抗素子は、漏洩電流が０．５ｍＡ以下に相当する抵抗値である。
【００１７】
この発明の他の局面に従うと、空調装置であって、本発明に係るイオン発生装置を含む。
【００１８】
この発明のさらに他の局面に従うと、イオン発生装置であって、第１、第２の電源入力ノード間に与えられる交流電圧を受けてパルス信号を発生するパルス発生回路を備え、パルス発生回路は、第１の電源入力ノードと第１の内部ノードとの間に直列に接続される第１の抵抗素子および第１のダイオードと、第１の内部ノードと第２の電源入力ノードとの間に接続されるキャパシタと、第１の内部ノードと第２の電源入力ノードとの間に接続される第２のダイオードと、第２の内部ノードと第２の電源入力ノードとの間に並列に接続される第３のダイオードおよびサイダックとを含み、第１のダイオードは、第１の電源入力ノードから第１の内部ノードに向かう向きが順方向になるように接続され、第２のダイオードは第２の電源入力ノードから第１の内部ノードに向かう向きが順方向になるように接続され、第３のダイオードは第２の電源入力ノードから第２の内部ノードに向かう向きが順方向となるように接続され、第１の内部ノードから第２の内部ノードに流れる電流に応じて第３、第４の内部ノード間に電圧を発生させるトランスと、第３、第４の内部ノード間に接続され放電によりイオン発生させる電極パネルと、第４の内部ノードと第２の電源入力ノードとの間に直列に接続される第２の抵抗素子，第４のダイオードおよびスイッチとをさらに備える。
【００１９】
【発明の実施の形態】
以下において、本発明の実施の形態について図面を参照して詳しく説明する。なお、図中同一符号は同一または相当部分を示す。
【００２０】
図１は、本発明の空調装置の制御ブロック図である。空調装置の具体例としては、浴室乾燥機を示すが、本発明は空調機器一般に広く適用可能である。
【００２１】
図１を参照して、マイクロコンピュータからなる制御部３２は、配電盤２０に接続され、電源の供給を受けてファンモータ２５の回転数、ダンパ９，４７の位置、セラミックヒータ３０、ヒータ４８やイオン発生装置２３への通電を制御する。したがって、これらの動作をコントローラ１９の操作に基づいて個別に制御することにより、さまざまな運転モードが実現される。また、湿度センサ３１により湿度が計測され、人体センサ１４により浴室内の人間の存在が検知され、制御部３２にこれらの情報が伝達される。また、制御部３２は時間を計測するタイマ３３を内蔵しており、使用者は所定の時刻に電源が入る入タイマと、電源が切れる切タイマとを切換えて作動させることができる。
【００２２】
図２は、本発明の空調装置の主要部の斜視図である。
図３は、空調装置の浴室への取付状態を示す模式図である。
【００２３】
図２、図３を参照して、空調装置１は、天井板の開口部の内部に装着する本体４と、天井板の下方に位置するように本体４に取付けられるパネル５とを含む。天井板の開口部は、パネル５が浴室１１の内部の浴槽１２の上に位置するように形成されている。パネル５には、人の存在を検知する人体センサ１４が設けられている。パネル５の中央には、幅の異なるスリット状の通気孔である吸込口６と吹出口７とが形成されている。図１におけるイオン発生装置２３は、本体４の内部に設けられ、吹出口７の近辺に配置されている。
【００２４】
浴槽１２の隣の洗い場の上方に位置する天井板には、点検孔１５および蓋１６が設けられている。ドア１７には通風孔となる隙間１８が形成されている。浴室１１の外側の壁面には、空調装置１のコントローラ１９および配電盤２０が配置されており、コントローラ１９および配電盤２０は、電力線および制御線によって空調装置１に接続されている。また、本体４は、排気ダクト２１，２２に接続されており、本体４において吸引した浴室１１の空気を屋外に排気できるようになっている。
【００２５】
図４は、図１におけるイオン発生装置の構成を示した回路図である。
図４を参照して、イオン発生装置２３は、ノードＡＣ１とノードＡＣ２との間に交流電圧ＡＣ１００Ｖを受けてノードＮ１とノードＮ２との間に後に説明するパルス信号を発生するパルス発生回路５２と、ノードＮ１からのＮ２に流れる電流に応じてノードＮ５、Ｎ６間およびノードＮ３、Ｎ４間に電圧を発生させるトランスＴ１と、ノードＮ５とノードＮ６との間に接続され放電によりイオン発生させる電極パネル５６とを含む、
イオン発生装置２３は、さらに、ノードＮ５とノードＡＣ２との間に直列に接続される抵抗素子Ｒ１，ダイオードＤ４およびリレーＲＹＢとを含む。リレーＲＹＢは、モニタ用のグランド端子Ｍ−ＧＮＤと端子ＲＥＬＡＹとの間で電流が流れることによりノードＮ５からノードＡＣ２に至る電流経路を接続する。
【００２６】
抵抗素子Ｒ１を設けることにより、後に図１２〜図１４を用いて説明する効果を奏することが本願発明の大きな特徴の１つである。
【００２７】
トランスＴ１は、ノードＮ１，Ｎ２間に接続されるコイルＬ１と、ノードＮ５，ノードＮ６間に接続されるコイルＬ２と、ノードＮ３，ノードＮ４間に接続されるコイルＬ３とを含む。コイルＬ１は１次側のコイルであり、この１次側のコイルに電流が流れることによりコイルＬ２，コイルＬ３に電圧が誘起される。
【００２８】
電極パネル５６は、電極接点１１６と、グリッド状をなす放電電極１１３とを含む。
【００２９】
パルス発生回路５２は、ノードＡＣ１とノードＮ１との間に直列に接続される抵抗素子Ｒ２およびダイオードＤ１と、ノードＮ１とノードＡＣ２との間に接続されるキャパシタＣ１と、ノードＮ１とノードＡＣ２との間に接続されるダイオードＤ２と、ノードＮ２とノードＡＣ２との間に並列に接続されるダイオードＤ３およびサイダックＳＤとを含む。
【００３０】
サイダックＳＤは両端の電圧が所定のブレークオーバー電圧を超えると導通する素子である。このブレークオーバー電圧は、たとえば、８０Ｖとすることが好ましい。
【００３１】
ダイオードＤ１は、ノードＡＣ１からノードＮ１に向かう向きが順方向になるように接続される。ダイオードＤ２はノードＡＣ２からノードＮ１に向かう向きが順方向になるように接続される。ダイオードＤ３はノードＡＣ２からノードＮ２に向かう向きが順方向となるように接続される。
【００３２】
コイルＬ３のノードＮ３はモニタ用の端子ＭＯＮＩＴＯＲに接続され、ノードＮ４はモニタ用の接地端子Ｍ−ＧＮＤに接続されている。このモニタ用の接地端子は交流電源ＡＣ１００Ｖの接地端子と分離されているものである。この端子ＭＯＮＩＴＯＲと端子Ｍ−ＧＮＤとの間のモニタ回路５８を接続することにより、モニタ回路５８のノードＮ７の電圧範囲が所定の範囲にあるかどうかでイオン発生装置２３が正常に動作しているか否かを判断することができる。
【００３３】
モニタ回路５８は、端子Ｍ−ＧＮＤとノードＮ７との間に並列に接続されるキャパシタＣ２および抵抗Ｒ３と、モニタ端子ＭＯＮＩＴＯＲからノードＮ７に向かう向きが順方向となるように接続されるダイオードＤ５とを含む。
【００３４】
図５は、図４における電極パネル５６の平面図である。
図６は、図５のＶＩ−ＶＩ線おける電極パネル５６の断面図である。
【００３５】
図７は、図５のＶＩＩ−ＶＩＩ線おける電極パネル５６の断面図である。
図５〜図７を参照して、電極パネル５６は、厚さ方向に積層された下板１１１および上板１１２を一体化させてなる誘電体基板１１０の片方の面に、グリッド状をなす放電電極１１３が形成されている。また、下板１１１および上板１１２の間に放電電極１１３と対向するように面状の誘導電極１１４が埋設されている。さらに、放電電極１１３の上部には、誘電体によって形成される保護層が設けられ放電電極１１３は保護層１１５によって被覆されている。
【００３６】
放電電極１１３は、上板１１２および下板１１１を貫通する電極接点１１６によりノードＮ５に接続され、電位が与えられる。また、誘導電極１１４は、下板１１１を貫通する電極接点１１７によりノードＮ６に接続され、電位が与えられる。
【００３７】
ここで、イオンの発生原理とともに浮遊菌の除去原理について説明する。
電極パネルの電極間に昇圧された交流高電圧を印加することにより、空気中の酸素ないしは水分が電離によりエネルギーを受けてイオン化し、Ｈ３Ｏ＋（Ｈ２Ｏ）  ｎ（ｎは０または任意の自然数）とＯ２−（Ｈ２Ｏ）  ｍ（ｍは０または任意の自然数）を主体としたイオンを生成し、これらをファン等により空間に放出させる。これらＨ３Ｏ＋（Ｈ２Ｏ）  ｎおよびＯ２−（Ｈ２Ｏ）  ｍは、浮遊菌の表面に付着し、化学反応して活性種であるＨ２Ｏ２または・ＯＨを生成する。Ｈ２Ｏ２または・ＯＨは、極めて強力な活性を示すため、これらにより、空気中の浮遊細菌を取り囲んで不活化することができる。ここで、・ＯＨは活性種の１種であり、ラジカルのＯＨを示している。
【００３８】
正負のイオンは浮遊細菌の細胞表面で下記の式（１）〜式（３）に示すように化学反応して、活性種である過酸化水素（Ｈ２Ｏ２）または水酸基ラジカル（・ＯＨ）を生成する。ここで、式（１）〜式（３）において、ｍ、ｍ’、ｎ、ｎ’は０または任意の自然数である。これにより、活性種の分解作用によって浮遊細菌が破壊される。従って、効率的に空気中の浮遊細菌を不活化、除去することができる。
2004319377.tif 000003
以上のメカニズムにより、上記正負イオンの放出により、浮遊菌等の不活化効果を得ることができる。
【００３９】
また、上記式（１）〜式（３）は、空気中の有害物質表面でも同様の作用を生じさせることができるため、活性種である過酸化水素（Ｈ２Ｏ２）または水酸基ラジカル（・ＯＨ）が、有害物質を酸化若しくは分解して、ホルムアルデヒドやアンモニアなどの化学物質を、二酸化炭素や、水、窒素などの無害な物質に変換することにより、実質的に無害化することが可能である。
【００４０】
したがって、ファンモータ２５を駆動して送風ファンを回すことにより、イオン発生素子２３によって発生させた正イオンと負イオンを本体外に送り出することができる。そして、これらの正イオンと負イオンの作用により空気中のカビや菌を不活化し、その増殖を抑制することができる。
【００４１】
その他、正イオンと負イオンには、コクサッキーウィルス、ポリオウィルス、などのウィルス類も不活化する働きがあり、これらウィルスの混入による汚染が防止できる。
【００４２】
また、正イオンと負イオンには、臭いの元となる分子を分解する働きがあることも確かめられており、空間の脱臭にも利用できる。
【００４３】
次に、図４のイオン発生装置２３の動作について説明する。
図８は、リレーＲＹＢがオフ状態におけるイオン発生装置の動作を説明するための動作波形図である。
【００４４】
図４、図８を参照して、リレーＲＹＢがオフ状態である場合には、正イオンおよび負イオンがほぼ同量発生し、浮遊する細菌を殺菌する効果が大きいモードである。このモードを、本明細書では、プラズマクラスタ発生モードと称する。
【００４５】
ノードＡＣ１には交流電源電圧１００Ｖが印加される。ノードＮ１では、抵抗Ｒ２およびダイオードＤ１を介してキャパシタＣ１に電荷が溜まることによりノードＮ１の電圧が上昇する。これに合わせてノードＮ２の電圧も上昇する。
【００４６】
時刻ｔ１において、ノードＮ２の電圧がサイダックＳＤのブレークオーバー電圧を超えると、サイダックＳＤが導通状態となり、キャパシタＣ１に溜まった電荷がトランスＴ１の１次側コイルＬ１を急激に流れる。
【００４７】
１次側コイルＬ１に電流が流れると、２次側コイルＬ２のインダクタンスと電極の容量で決まる共振周波数でノードＮ５、ノードＮ６が減衰振動をする。トランスの昇圧によって、２次側コイルＬ２の両端には強電界が発生し、電極パネル５６の放電電極１１３において放電が発生する。
【００４８】
ダイオードＤ１に電流が流れサイダックＳＤのブレークオーバー電圧を超えることによりキャパシタＣ１の電荷が放出されることが、時刻ｔ４までの間に繰返し発生する。図８では、時刻ｔ１および時刻ｔ３においてサイダックＳＤのブレークオーバーが起こっている。なお、時刻ｔ４〜ｔ５では、ダイオードＤ１の電圧が逆方向となるため、コイルＬ１には、電流が流れず、したがって電極パネル５６においても放電は発生しない。
【００４９】
この放電の周期は、抵抗Ｒ２およびキャパシタＣ１の時定数とサイダックＳＤのブレークオーバー電圧によって周期が定まり、ノードＡＣ１が電位が正となっている間におよそ２回ずつサイダックＳＤのブレークオーバーが発生する状態を図８に示している。
【００５０】
図９は、図８の時刻ｔ１〜ｔ２を拡大して示した波形図である。
図９を参照して、ノードＮ５とノードＮ６とは接地電位である０Ｖを中心に電圧が振れる。また、ノードＮ５とノードＮ６の電位はお互いに逆相となっている。このため、電極部の平均電圧はアース電位すなわち０Ｖとなり、電極パネルに当てられる風により正イオンと負イオンとがほぼ同数浴室の空気中に放出される。正負のイオンが同時に発生すると、これらの結合時の化学反応によって活性種である過酸化水素Ｈ２Ｏ２またはラジカル・ＯＨが生成する。このＨ２Ｏ２またはラジカル・ＯＨは、極めて強力な活性を示すので、これにより空気中の浮遊菌を除去することができる。
【００５１】
図１０は、リレーＲＹＢをオン状態としたときのイオン発生装置の動作を説明するための動作波形図である。
【００５２】
図４、図１０を参照して、リレーＲＹＢがオン状態では、負イオンが多く発生するモードとなる。このモードを本明細書では、マイナスイオン発生モードと呼ぶこととする。ノードＡＣ１，Ｎ１，Ｎ２の波形については、図８の場合と同様であるので説明は繰返さない。
【００５３】
時刻ｔ１１においては、図８で説明した場合と同様にサイダックＳＤにブレークオーバーが発生し、コイルＬ１に電流が流れ、２次側のコイルＬ２に電圧が発生される。ノードＮ５、ノードＮ６には、トランスＴ１の２次側のインダクタンスと電極の容量で決まる共振周波数で減衰振動が発生する。
【００５４】
トランスの２次側は昇圧されており、強電界が発生し、電極パネル５６において放電が発生する。ただし、図８の場合と異なり、ノードＮ５が抵抗Ｒ１とダイオードＤ４とを介して接地電位に結合されているので、ノードＮ５の電位が接地電位すなわち０Ｖよりも高い電圧になると、抵抗Ｒ１を介してアースに電流が流れる。このため、図８で示した場合のノードＮ５の接地電位を超えた部分がクランプされ、その結果、減衰振動中はトランスの２次側のノードＮ５，Ｎ６のＤＣレベルが負電位となる。
【００５５】
図１１は、図１０の時刻ｔ１１〜ｔ１２を拡大した動作波形図である。
図１１では、０Ｖを超えた場合にノードＮ５の電位がクランプされる。このため、減衰振動の中心となるＤＣレベルは、負の電位となる。
【００５６】
このため、放電電極の平均電圧はマイナスとなり、放電で発生した正イオンは電極に引きつけられる。逆に、負イオンは電極と反発する。したがって正イオンよりも多い数の負イオンが、風により浴室の空気中に放出される。したがって、浴室内は負イオンが多い状態になり、人体をリラックスさせることができる。
【００５７】
図１２は、本発明の主たる効果を説明するための検討例の回路図である。
図１２を参照して、図４における抵抗Ｒ１が存在していない場合のイオン発生装置５２３について検討する。この場合においてもリレーＲＹＢをオフ状態にすれば電極パネル５６の放電電極のＤＣレベルがほぼ０ボルトとなり正イオンと負イオンはほぼ同数発生する。一方、リレーＲＹＢをオン状態とすると、図１０、図１１で説明した場合と同様に電極パネル５６の電極のＤＣレベルが負電位となるので、負イオンの方が多く発生する。
【００５８】
図１３は、検討例の電源への接続が入れ違えられた場合を示す回路図である。
図１３で示すように、本来接地側に接続されるべきノードＡＣ２が空調装置のイオン発生装置５２３から配電盤２０内のブレーカＣＢに接続する際に、配線が入換えて接続されてしまう場合も考えられる。家庭の交流ＡＣ１００Ｖは、２線のうち、どちらが電圧側でどちらが接地側か注意をしていないとわかりにくい場合が多いからである。
【００５９】
ノードＡＣ２が接地ノードではなく交流電源の電圧側に接続されていても、図１１のＤＣレベルが多少変動するだけであり、負イオンの発生は可能である。これは、図４のノードＮ５、Ｎ６間に発生する電圧が数ｋＶと高いので、このことから、図１１のＤＣレベルは０Ｖに対して十分負電位にシフトするからである。
【００６０】
しかしながら、図１３で示すように配線が入換えて接続されてしまった場合には、万一、結露や水しぶき等により放電電極と筐体７０との間に抵抗の小さい電流経路Ｐが形成されてしまうと、ノードＡＣ２が接地電位に対して負の電位となった瞬間に、接地されている筐体７０からノードＡＣ２を経由して交流電源５０に大きな漏洩電流ＩＬが流れてしまう。
【００６１】
そうすると、ブレーカＣＢによって電源が遮断され、イオン発生装置５２３は動作を停止してしまう。たとえば、イオン発生装置５２３に通風や加熱により結露や水しぶきを除去する手段が設けられていたとしても、ブレーカＣＢが落ちてしまえばこれを働かすこともできない。
【００６２】
図１４は、本発明のイオン発生装置の電源への接続が入れ違えられた場合を示す回路図である。
【００６３】
図１４に示すように、本発明では抵抗Ｒ１を設けてあるので、たとえノードＡＣ１とノードＡＣ２がブレーカＣＢに入違えて接続されてしまったとしても漏洩電流ＩＬ２を小さく抑えることができる。具体的には、抵抗Ｒ１の抵抗値を２２０ｋΩに設定することにより、漏洩電流の値を０．５ｍＡ以下に抑えることができる。この値は、人体が６０Ｈｚの交流電圧に感電した場合に感知できる限界の電流値が１ｍＡであることから、その半分の値である０．５ｍＡ以下になるように設定したものである。
【００６４】
このようにすることにより、結露や水しぶきにより電流経路Ｐが形成されたとしても、ブレーカＣＢを遮断するほどの過大な電流が流れることがなく、人体にとっても危険な感電電流は流れず、人体に感知できるほどの感電電流が流れることもない。したがって、イオン発生装置２３の運転を中断せずに動作を継続させることができる。これにより、通風や加熱などにより水分が除去され電流経路Ｐが消失すれば良好にイオンを発生させることができる。
【００６５】
なお、本発明では、浴室に設置する浴室乾燥機を空調装置の具体例として説明したが、高湿度環境や水しぶきがかかるような過酷な環境において用いられるものであれば、他の空調装置に用いても効果がある。
【００６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００６７】
【発明の効果】
以上説明したように、本発明によれば、高湿度による結露や入浴中の水はねなどによっても、装置の運転を中断せずにイオンを発生させることができる。
【図面の簡単な説明】
【図１】本発明の空調装置の制御ブロック図である。
【図２】本発明の空調装置の主要部の斜視図である。
【図３】空調装置の浴室への取付状態を示す模式図である。
【図４】図１におけるイオン発生装置の構成を示した回路図である。
【図５】図４における電極パネル５６の平面図である。
【図６】図５のＶＩ−ＶＩ線おける電極パネル５６の断面図である。
【図７】図５のＶＩＩ−ＶＩＩ線おける電極パネル５６の断面図である。
【図８】リレーＲＹＢがオフ状態におけるイオン発生装置の動作を説明するための動作波形図である。
【図９】図８の時刻ｔ１〜ｔ２を拡大して示した波形図である。
【図１０】リレーＲＹＢをオン状態としたときのイオン発生装置の動作を説明するための動作波形図である。
【図１１】図１０の時刻ｔ１１〜ｔ１２を拡大した動作波形図である。
【図１２】本発明の主たる効果を説明するための検討例の回路図である。
【図１３】検討例の電源への接続が入れ違えられた場合を示す回路図である。
【図１４】本発明のイオン発生装置の電源への接続が入れ違えられた場合を示す回路図である。
【符号の説明】
１  空調装置、４  本体、６  吸込口、７  吹出口、１４  人体センサ、１９コントローラ、２０  配電盤、２３  イオン発生装置、２５  ファンモータ、３０  セラミックヒータ、３１  湿度センサ、３２  制御部、３３  タイマ、４８  ヒータ、５０  交流電源、５２  パルス発生回路、５６  電極パネル、５８モニタ回路、７０  筐体、１１０  誘電体基板、１１３  放電電極、１１４  誘導電極、１１５  保護層、１１６，１１７  電極接点、Ｃ１，Ｃ２  キャパシタ、ＣＢ  ブレーカ、Ｄ１〜Ｄ５  ダイオード、Ｌ１〜Ｌ３  コイル、Ｒ１〜Ｒ３  抵抗素子、ＲＹＢ  リレー、ＳＤ  サイダック、Ｔ１  トランス。
【図１】
2004319377.tif 000004
【図２】
2004319377.tif 000005
【図３】
2004319377.tif 000006
【図４】
2004319377.tif 000007
【図５】
2004319377.tif 000008
【図６】
2004319377.tif 000009
【図７】
2004319377.tif 000010
【図８】
2004319377.tif 000011
【図９】
2004319377.tif 000012
【図１０】
2004319377.tif 000013
【図１１】
2004319377.tif 000014
【図１２】
2004319377.tif 000015
【図１３】
2004319377.tif 000016
【図１４】
2004319377.tif 000017